(57)【要約】  第２のデバイスによって支援される第１のデバイスによる初期ネットワーク捕捉のための方法とシステムが提供される。ローカル無線ネットワーク情報を知るために１つ以上の周波数帯域を走査するよりむしろ、第１のデバイスはローカル無線ネットワーク情報に対する要求を２次通信インタフェイス（すなわち、情報が探索される無線ネットワークと関連のない通信インタフェイス）上で送る。要求されたネットワーク情報を先行して取得済みである第２のデバイス（例えば、このデバイスはそのネットワークに加入済みであるか、またはそこを通じて通信中である）は、要求された無線ネットワーク情報を第１のデバイスへ送ることにより応答する。２次通信インタフェイスを介して無線ネットワーク情報を受信すると、第１のデバイスはそれを用いてその無線ネットワークから通信サービスを１次通信インタフェイス（すなわち、２次通信インタフェイスと異なる通信インタフェイス）上で取得する。【選択図】      図２
2011514778.tif 000002
【特許請求の範囲】
【請求項１】
初期ネットワーク捕捉のための、アクセス端末上で動作する方法であって、
無線ネットワーク情報に対する要求を２次通信インタフェイス上で送ることと；
前記無線ネットワーク情報を前記２次通信インタフェイス上で受信することと；
前記無線ネットワーク情報を用いて通信サービスを１次通信インタフェイス上で無線ネットワークから取得することと；
を備える方法。
【請求項２】
前記１次通信インタフェイスおよび前記２次通信インタフェイスは、異なる形式のネットワークと交信するように適合された、請求項１に記載の方法。
【請求項３】
前記１次通信インタフェイスは第１の周波数帯域内で通信するように適合され、前記２次通信インタフェイスは第２の周波数帯域内で通信するように適合され、前記第１および第２の周波数帯域はオーバラップしていない、請求項１に記載の方法。
【請求項４】
前記１次通信インタフェイスは、アクセスノードを介した広域無線ネットワーク上の通信に対して適合された、請求項１に記載の方法。
【請求項５】
前記１次通信インタフェイスは、公衆陸上移動ネットワーク上の通信に対して適合された、請求項１に記載の方法。
【請求項６】
前記２次通信インタフェイスは、アドホック通信リンクおよびピアツーピア通信リンクの少なくとも１つの上の通信に対して適合された、請求項１に記載の方法。
【請求項７】
前記２次通信インタフェイスは、ブルートゥース準拠の通信インタフェイスである、請求項１に記載の方法。
【請求項８】
無線ネットワーク情報に対する前記要求は、他のローカル通信デバイスへ放送される、請求項１に記載の方法。
【請求項９】
前記アクセス端末は、未知の無線ネットワーク領域内で動作を開始中または再開中である、請求項１に記載の方法。
【請求項１０】
前記アクセス端末は、第１のネットワーク形式から第２のネットワーク形式へ動作を切り換え中である、請求項１に記載の方法。
【請求項１１】
無線ネットワーク情報に対する前記要求を送る前に、前記１次通信インタフェイス上で最新既知（last known）の無線ネットワークを求める探索をすることをさらに備える、請求項１に記載の方法。
【請求項１２】
前記無線ネットワーク情報が前記２次通信インタフェイス上で受信されない場合には、前記無線ネットワーク情報を得るために、前記１次通信インタフェイス上で１つ以上の周波数帯域を走査することをさらに備える、請求項１に記載の方法。
【請求項１３】
無線ネットワーク情報に対する前記要求は、特定の形式のネットワークに対する特有の要求、またはすべての利用可能なネットワークに対する一般的な要求のいずれか１つである、請求項１に記載の方法。
【請求項１４】
前記受信された無線ネットワーク情報に関係づけられたネットワーク形式を確認することと；
前記ネットワーク形式と一致する１次通信インタフェイスに対する動作モードを選択することと；
をさらに備える、請求項１に記載の方法。
【請求項１５】
広域無線ネットワーク上の通信に対して適合された１次通信インタフェイスと；
アドホック通信リンク上の通信に対して適合された２次通信インタフェイスと；
前記１次通信インタフェイスおよび前記２次通信インタフェイスに接続された処理回路と；
を備え、
前記処理回路は、
無線ネットワーク情報に対する要求を前記２次通信インタフェイス上で送り；
前記無線ネットワーク情報を前記２次通信インタフェイス上で受信し；かつ
前記無線ネットワーク情報を用いて通信サービスを前記１次通信インタフェイス上で無線ネットワークから取得する；
ように構成された、
アクセス端末。
【請求項１６】
前記１次通信インタフェイスおよび前記２次通信インタフェイスは異なる形式のネットワークと交信するように適合された、請求項１５に記載のアクセス端末。
【請求項１７】
前記１次通信インタフェイスは第１の周波数帯域内で通信するように適合され、前記２次通信インタフェイスは第２の周波数帯域内で通信するように適合され、前記第１および第２の周波数帯域はオーバラップしていない、請求項１５に記載のアクセス端末。
【請求項１８】
前記１次通信インタフェイスは、広域無線ネットワーク上の通信に対して適合された、請求項１５に記載のアクセス端末。
【請求項１９】
前記１次通信インタフェイスは、公衆陸上移動ネットワーク上の通信に対して適合された、請求項１５に記載のアクセス端末。
【請求項２０】
前記２次通信インタフェイスは、アドホック通信リンクおよびピアツーピア通信リンクの少なくとも１つの上の通信に対して適合された、請求項１５に記載のアクセス端末。
【請求項２１】
前記２次通信インタフェイスは、ブルートゥース準拠の通信インタフェイスである、請求項１５に記載のアクセス端末。
【請求項２２】
前記１次通信インタフェイスは、近距離通信に対して適合された前記２次通信インタフェイスに較べて長距離通信に対して適合された、請求項１５に記載のアクセス端末。
【請求項２３】
無線ネットワーク情報に対する前記要求は、他のローカル通信デバイスへ放送される、請求項１５に記載のアクセス端末。
【請求項２４】
前記アクセス端末は、未知の無線ネットワーク領域内で動作を開始中または再開中である、請求項１５に記載のアクセス端末。
【請求項２５】
前記アクセス端末は、第１のネットワーク形式から第２のネットワーク形式へ動作を切り換中である、請求項１５に記載のアクセス端末。
【請求項２６】
前記処理回路は、無線ネットワーク情報に対する前記要求を送る前に、前記１次通信インタフェイス上で最新既知の無線ネットワークを求める探索をするようにさらに構成された、請求項１５に記載のアクセス端末。
【請求項２７】
前記処理回路は、前記無線ネットワーク情報が前記２次通信インタフェイス上で受信されない場合には、前記無線ネットワーク情報を得るために、前記１次通信インタフェイス上で周波数帯域を走査するようにさらに構成された、請求項１５に記載のアクセス端末。
【請求項２８】
無線ネットワーク情報に対する前記要求は、特定の形式のネットワークに対する特有の要求、またはすべての利用可能なネットワークに対する一般的な要求のいずれか１つである、請求項１５に記載のアクセス端末。
【請求項２９】
無線ネットワーク情報に対する要求を２次通信インタフェイス上で送るための手段と；
前記無線ネットワーク情報を前記２次通信インタフェイス上で受信するための手段と；
前記無線ネットワーク情報を用いて通信サービスを１次通信インタフェイス上で無線ネットワークから取得するための手段と；
を備えるアクセス端末。
【請求項３０】
前記１次通信インタフェイスおよび前記２次通信インタフェイスは異なる形式のネットワークと交信するように適合される、請求項２９に記載のアクセス端末。
【請求項３１】
無線ネットワーク情報に対する前記要求を送る前に、前記１次通信インタフェイス上で最新既知の無線ネットワークを求める探索をするための手段をさらに備える、請求項２９に記載のアクセス端末。
【請求項３２】
前記無線ネットワーク情報が前記２次通信インタフェイス上で受信されない場合には、前記無線ネットワーク情報を得るために、前記１次通信インタフェイス上で１つ以上の周波数帯域を走査するための手段をさらに備える、請求項２９に記載のアクセス端末。
【請求項３３】
無線ネットワーク通信のための回路であって、
無線ネットワーク情報に対する要求を２次通信インタフェイス上で送り；
前記無線ネットワーク情報を前記２次通信インタフェイス上で受信し；かつ
前記無線ネットワーク情報を用いて通信サービスを１次通信インタフェイス上で無線ネットワークから取得する；
ように適合された回路。
【請求項３４】
前記１次通信インタフェイスおよび前記２次通信インタフェイスは異なる形式のネットワークと交信するように適合された、請求項３３に記載の回路。
【請求項３５】
前記回路は、前記無線ネットワーク情報が前記２次通信インタフェイス上で受信されない場合には、前記無線ネットワーク情報を得るために、前記１次通信インタフェイス上で１つ以上の周波数帯域を走査するように適合された、請求項３３に記載の回路。
【請求項３６】
初期ネットワーク捕捉のための命令を備えた計算機可読媒体であって、
前記命令は、プロセッサによって実行されると、前記プロセッサに、
無線ネットワーク情報に対する要求を２次通信インタフェイス上で送らせ；
前記無線ネットワーク情報を前記２次通信インタフェイス上で受信させ；かつ
前記無線ネットワーク情報を用いて通信サービスを１次通信インタフェイス上で無線ネットワークから取得させる；
計算機可読媒体。
【請求項３７】
プロセッサによって実行されると、前記プロセッサに、
前記無線ネットワーク情報が前記２次通信インタフェイス上で受信されない場合には、前記無線ネットワーク情報を得るために、前記１次通信インタフェイス上で１つ以上の周波数帯域を走査させる命令をさらに備える、請求項３６に記載の計算機可読媒体。
【請求項３８】
初期ネットワーク捕捉をする別のデバイスを支援するためのアクセス端末上で動作する方法であって、
１次通信インタフェイスに関係づけられた無線ネットワークに関する無線ネットワーク情報を保持することと；
無線ネットワーク情報要求を要求通信デバイスから２次通信インタフェイス上で受信することと；
前記無線ネットワーク情報を前記２次通信インタフェイスを介して前記要求通信デバイスへ送ることと；
を備える方法。
【請求項３９】
前記無線ネットワーク情報を得るために、前記１次通信インタフェイスを介して、前記無線ネットワークに関係づけられた周波数帯域を監視することをさらに備える、請求項３８に記載の方法。
【請求項４０】
無線ネットワーク情報に対する前記要求を、それが前記無線ネットワークとは異なるネットワーク事業者に関係づけられたデバイスから来ている場合には無視することをさらに備える、請求項３８に記載の方法。
【請求項４１】
前記１次通信インタフェイスおよび前記２次通信インタフェイスは異なる形式のネットワークと交信するように適合された、請求項３８に記載の方法。
【請求項４２】
前記１次通信インタフェイスは、広域無線ネットワーク上の通信に対して適合された、請求項３８に記載の方法。
【請求項４３】
前記１次通信インタフェイスは、公衆陸上移動ネットワーク上の通信に対して適合された、請求項３８に記載の方法。
【請求項４４】
前記２次通信インタフェイスは、アドホック通信リンクおよびピアツーピア通信リンクの少なくとも１つの上の通信に対して適合された、請求項３８に記載の方法。
【請求項４５】
前記２次通信インタフェイスは、ブルートゥース準拠の通信インタフェイスである、請求項３８に記載の方法。
【請求項４６】
無線ネットワーク情報に対する受信された前記要求は、特定の形式のネットワークに対する特有の要求、またはすべての利用可能なネットワークに対する一般的な要求のいずれか１つである、請求項３８に記載の方法。
【請求項４７】
広域無線ネットワーク上の通信に対して適合された１次通信インタフェイスと；
アドホック通信リンク上の通信に対して適合された２次通信インタフェイスと；
前記１次通信インタフェイスおよび前記２次通信インタフェイスに接続された処理回路と；
を備え、
前記処理回路は、
前記１次通信インタフェイスに関係づけられた無線ネットワークに関する無線ネットワーク情報を保持し；
無線ネットワーク情報要求を要求通信デバイスから前記２次通信インタフェイス上で受信し；かつ
前記無線ネットワーク情報を前記２次通信インタフェイスを介して前記要求通信デバイスへ送る；
ように構成された、
アクセス端末。
【請求項４８】
前記処理回路は、前記無線ネットワーク情報を得るために、前記１次通信インタフェイスを介して、前記無線ネットワークに関係づけられた周波数帯域を監視するようにさらに構成された、請求項４７に記載のアクセス端末。
【請求項４９】
前記処理回路は、無線ネットワーク情報に対する前記要求を、それが前記無線ネットワークとは異なるネットワーク事業者に関係づけられたデバイスから来ている場合には無視するようにさらに構成された、請求項４７に記載のアクセス端末。
【請求項５０】
前記１次通信インタフェイスおよび前記２次通信インタフェイスは異なる形式のネットワークと交信するように適合された、請求項４７に記載のアクセス端末。
【請求項５１】
前記１次通信インタフェイスは、広域無線ネットワーク上の通信に対して適合された、請求項４７に記載のアクセス端末。
【請求項５２】
前記１次通信インタフェイスは、公衆陸上移動ネットワーク上の通信に対して適合された、請求項４７に記載のアクセス端末。
【請求項５３】
前記２次通信インタフェイスは、アドホック通信リンクおよびピアツーピア通信リンクの少なくとも１つの上の通信に対して適合された、請求項４７に記載のアクセス端末。
【請求項５４】
前記２次通信インタフェイスは、ブルートゥース準拠の通信インタフェイスである、請求項４７に記載のアクセス端末。
【請求項５５】
無線ネットワーク情報に対する前記受信された要求は、特定の形式のネットワークに対する特有の要求、またはすべての利用可能なネットワークに対する一般的な要求のいずれか１つである、請求項４７に記載のアクセス端末。
【請求項５６】
１次通信インタフェイスに関係づけられた無線ネットワークに関する無線ネットワーク情報を保持するための手段と；
無線ネットワーク情報要求を要求通信デバイスから２次通信インタフェイス上で受信するための手段と；
無線ネットワーク情報を前記２次通信インタフェイスを介して前記要求通信デバイスへ送るための手段と；
を備えるアクセス端末。
【請求項５７】
前記処理回路は、前記無線ネットワーク情報を得るために、前記１次通信インタフェイスを介して、前記無線ネットワークに関係づけられた周波数帯域を監視するための手段、
に対してさらに構成された、請求項５６に記載のアクセス端末。
【請求項５８】
前記１次通信インタフェイスは第１の周波数帯域内で通信するように適合され、前記２次通信インタフェイスは第２の周波数帯域内で通信するように適合され、前記第１および第２の周波数帯域はオーバラップしていない、請求項５６に記載のアクセス端末。
【請求項５９】
無線ネットワーク通信のための回路であって、
１次通信インタフェイスに関係づけられた無線ネットワークに関する無線ネットワーク情報を保持し；
無線ネットワーク情報要求を要求通信デバイスから２次通信インタフェイス上で受信し；かつ
無線ネットワーク情報を前記２次通信インタフェイスを介して前記要求通信デバイスへ送る；
ように適合された回路。
【請求項６０】
前記回路は、前記無線ネットワーク情報を得るために、前記１次通信インタフェイスを介して、前記無線ネットワークに関係づけられた周波数帯域を監視するようにさらに適合された、請求項５９に記載の回路。
【請求項６１】
初期ネットワーク捕捉のための命令を備えた計算機可読媒体であって、
前記命令は、プロセッサによって実行されると、前記プロセッサに、
１次通信インタフェイスに関係づけられた無線ネットワークに関する無線ネットワーク情報を保持させ；
無線ネットワーク情報要求を要求通信デバイスから２次通信インタフェイス上で受信させ；かつ
無線ネットワーク情報を前記２次通信インタフェイスを介して前記要求通信デバイスへ送らせる；
計算機可読媒体。
【請求項６２】
プロセッサによって実行されると、前記プロセッサに、
前記無線ネットワーク情報を得るために、前記１次通信インタフェイスを介して、前記無線ネットワークに関係づけられた周波数帯域を監視させる命令をさらに備える、請求項６１に記載の計算機可読媒体。
【発明の詳細な説明】
【技術分野】
【０００１】
少なくとも１つの特徴は、通信システムの捕捉に関する。より詳細には、通信デバイスの無線ネットワーク捕捉時間を改善するために、ネットワーク内に既に存在する他の通信デバイスから情報を得ることにより、これを支援するための方法に関する。
【背景技術】
【０００２】
無線通信ネットワークにおいて、アクセス端末または移動デバイス／局は、通常、定められた周波数スペクトルを走査し、無線通信サービスを受けることができる１つ以上のアクセスノード（セル、基地局、ノードＢ、アクセスノード等）を識別する。これは、しばしばシステム捕捉と呼ばれ、通常、移動局（ＭＳ）がしばらく電源切断であった後に電源投入されるとき、または移動局がカバレッジ不足から回復、もしくは２つの異なるネットワーク（例えば２Ｇと３Ｇネットワーク）の間で切り換えるときに発生する。これらの場合において、移動局はキャリア周波数候補のリスト内を探索する。各周波数に対して、移動局は、プリアンブルを検出すること、または検出されたもしくは見つけられた最も強いアクセスノードのスクランブルコードおよび位相を捕捉することを試みる。周波数リストの長さは実際のシナリオに依存する。例えば移動局がホームカバレッジエリア（例えばサービス領域、ステートシティ（state city）、国等）外に電源切断のまま移動した場合、周波数リストは極めて長い可能性がある。ほとんどの場合、正しいキャリア周波数は未知であり、周波数走査のプロセスは、（例えば周波数帯域が識別され得るところでは）周波数粗走査と、（例えばその周波数帯域内の特定のチャネルが走査され得るところでは）それに続く周波数精走査とを含む。次に、精走査中にエネルギーが検出された各チャネルでセル捕捉（例えばアクセスノード捕捉）がなされる。セル捕捉の間、移動局は周波数空間およびコード空間内の双方を、サービスを求めて探索する。通常この空間は、探索のためには望ましくないほど多くの仮説（hypotheses）または組み合わせである。一度適切なアクセスノードが選択されると、移動局はその選択されたアクセスノードを介してデータおよび／または音声セッションを確立するための通知信号メッセージを何時でも通信する。
【０００３】
アクセスノードを識別しスクランブルコードおよび位相を取得するために移動局によって実行される走査は、捕捉処理は顕著に長い時間がかかる原因となり得る。したがって、捕捉処理を迅速にし、および／または改善し、移動局がサービスをより迅速に取得し得る方法が必要である。
【発明の概要】
【０００４】
支援付初期ネットワーク捕捉のための方法が提供される。第１のデバイスはローカル無線ネットワーク情報を知るために１つ以上の周波数帯域を走査せずに、むしろ、ローカル無線ネットワーク情報に対する要求を隣接の第２のデバイスに送る。ネットワーク情報に対するそのような要求は、特定の形式の無線ネットワーク（例えば、ＧＳＭ、ＣＤＭＡなど）の情報に対する特有の要求、特定のサービスプロバイダに関係づけられた１つ以上のネットワークに対する特有の要求、および／または、その領域においてローカルに利用可能であるすべてのネットワークに対する一般的な要求である。
【０００５】
要求されたネットワーク情報を先行して取得済みである（例えば、その無線ネットワークに加わったか、またはそこで通信している）第２のデバイスは、要求された無線ネットワーク情報を第１のデバイスへ送ることによって応答する。第１のデバイスは第２のデバイスから無線ネットワーク情報を受信すると、それを用いて無線ネットワークから通信サービスを取得する。第１のデバイスは、第２のデバイスから２次通信インタフェイスを介してネットワーク情報を得るが、異なる１次通信インタフェイス上でそのネットワークと交信する。
【０００６】
初期ネットワーク捕捉のための、アクセス端末上で動作する方法が提供される。無線ネットワーク情報に対する要求は２次通信インタフェイス上で送られる。また、無線ネットワーク情報に対する要求は他のローカル通信デバイスへも放送される。それに応じて、無線ネットワーク情報は２次通信インタフェイス上で受信される。通信サービスは、無線ネットワーク情報を用いて１次通信インタフェイス上で無線ネットワークから取得されまたは確立される。
【０００７】
いくつかの実施において、アクセス端末は、無線ネットワーク情報に対する要求を送る前に、１次通信インタフェイス上で最新既知（last known）の無線ネットワークを求める探索をする。そのような無線ネットワーク情報が２次通信インタフェイス上で受信されない場合、アクセス端末は、無線ネットワーク情報を得るために１次通信インタフェイス上で１つ以上の周波数帯域を走査する。
【０００８】
１次通信インタフェイスおよび２次通信インタフェイスは異なる形式のネットワークと通信するように適合される。一例において、１次通信インタフェイスは第１の周波数帯域内で通信するように適合され、２次通信インタフェイスは第２の周波数帯域内で通信するように適合される。ここで第１および第２の周波数帯域はオーバラップしていない。１次通信インタフェイスはアクセスノードを介して広域無線ネットワーク上の通信に適合される。例えば、１次通信インタフェイスは公衆陸上移動ネットワーク上の通信に適合される。２次通信インタフェイスはアドホック通信リンクおよびピアツーピア通信リンクの少なくとも１つの上の通信に適合される。一例において、２次通信インタフェイスはブルートゥース準拠の通信インタフェイスである。
【０００９】
ある場合に、アクセス端末は、未知の無線ネットワーク領域で動作を開始するか、または再開している。別の場合に、アクセス端末は第１のネットワーク形式から第２のネットワーク形式へ動作を切り換えている。
【００１０】
一例において、本方法は異なる形式の無線ネットワーク（例えば、ＣＤＭＡ、ＧＳＭなど）上で通信可能なマルチモードアクセス端末上で作動する。このアクセス端末は、受信された無線ネットワーク情報に関係づけられたネットワーク形式を確認でき、ネットワーク形式に一致する１次通信インタフェイスに対する動作モードを選択する。
【００１１】
アクセス端末は、１次および２次通信インタフェイスおよび処理回路を含む。１次通信インタフェイスは広域無線ネットワーク上の通信に適合される。２次通信インタフェイスはアドホック通信リンク上の通信に適合される。処理回路は１次通信インタフェイスおよび２次通信インタフェイスに接続され、（ａ）無線ネットワーク情報に対する要求を２次通信インタフェイス上で送るように、（ｂ）無線ネットワーク情報を２次通信インタフェイス上で受信するように、および／または（ｃ）無線ネットワーク情報を用いて１次通信インタフェイス上で、無線ネットワークから通信サービスを取得するように、構成される。処理回路は（ａ）無線ネットワーク情報に対する要求を送る前に、１次通信インタフェイス上で最新既知の無線ネットワークを求める探索をするように、および／または、（ｂ）そのような無線ネットワーク情報が２次通信インタフェイス上で受信されない場合、無線ネットワーク情報を得るために１次通信インタフェイス上で周波数帯域を走査するようにさらに構成される。
【００１２】
１次通信インタフェイスおよび２次通信インタフェイスは異なる形式のネットワークと交信するように適合される。例えば、１次通信インタフェイスは第１の周波数帯域内で通信するように適合され、２次通信インタフェイスは第２の周波数帯域内で通信するように適合される。ここで第１および第２の周波数帯域はオーバラップしていない。他の例において、１次通信インタフェイスは広域無線ネットワーク上または公衆陸上移動ネットワーク上の通信に適合される。同様に、２次通信インタフェイスはアドホック通信リンクおよびブルートゥース準拠の通信インタフェイスのようなピアツーピア通信リンクの少なくとも１つの上の通信に適合される。一例において、近距離通信に適合される２次通信インタフェイスに較べて１次通信インタフェイスは長距離通信に適合される。
【００１３】
いくつかの例において、アクセス端末は、未知の無線ネットワーク領域で動作を開始するか、または再開している。他の例において、アクセス端末は第１のネットワーク形式から第２のネットワーク形式へ動作を切り換えている。
【００１４】
したがって、アクセス端末は、（ａ）無線ネットワーク情報に対する要求を２次通信インタフェイス上で送るための手段、（ｂ）無線ネットワーク情報を２次通信インタフェイス上で受信するための手段、（ｃ）無線ネットワーク情報を用いて無線ネットワークから１次通信インタフェイス上で通信サービスを取得するための手段、（ｄ）無線ネットワーク情報に対する要求を送る前に、１次通信インタフェイス上で最新既知の無線ネットワークを求める探索をするための手段、および／または、（ｅ）そのような無線ネットワーク情報が２次通信インタフェイス上で受信されない場合、無線ネットワーク情報を得るために１次通信インタフェイス上で１つ以上の周波数帯域を走査するための手段、を含んで提供される。１次通信インタフェイスおよび２次通信インタフェイスは異なる形式のネットワークと交信するように適合される。
【００１５】
無線ネットワーク通信のための回路も提供される。この回路は、（ａ）無線ネットワーク情報に対する要求を２次通信インタフェイス上で送るように、（ｂ）無線ネットワーク情報を２次通信インタフェイス上で受信するように、（ｃ）無線ネットワーク情報を用いて無線ネットワークから１次通信インタフェイス上で通信サービスを取得するように、および／または、（ｄ）そのような無線ネットワーク情報が２次通信インタフェイス上で受信されない場合、無線ネットワーク情報を得るために１次通信インタフェイス上で１つ以上の周波数帯域を走査するように、適合される。１次通信インタフェイスおよび２次通信インタフェイスは異なる形式のネットワークと交信するように適合され得る。
【００１６】
初期ネットワーク捕捉のための命令を含む計算機可読媒体も提供される。これはプロセッサによって実行されると、そのプロセッサに、（ａ）無線ネットワーク情報に対する要求を２次通信インタフェイス上で送らせ、（ｂ）無線ネットワーク情報を２次通信インタフェイス上で受信させ、（ｃ）無線ネットワーク情報を用いて無線ネットワークから１次通信インタフェイス上で通信サービスを取得させ、および／または、（ｄ）そのような無線ネットワーク情報が２次通信インタフェイス上で受信されない場合、無線ネットワーク情報を得るために１次通信インタフェイス上で１つ以上の周波数帯域を走査させる。
【００１７】
また、初期ネットワーク捕捉において、別のデバイスを支援するためのアクセス端末上で動作する方法が提供される。無線ネットワーク情報は１次通信インタフェイスに関係づけられた無線ネットワークのために保持されまたは格納される。無線ネットワーク情報要求は要求通信デバイスから２次通信インタフェイス上で受信する。次に、無線ネットワーク情報は２次通信インタフェイスを介して要求通信デバイスへ送られる。無線ネットワーク情報を得るために、その無線ネットワークに関係づけられた周波数帯域は、１次通信インタフェイスを介して監視される。いくつかの実施において、無線ネットワーク情報に対する要求は、それがその無線ネットワークとは異なるネットワーク事業者に関係づけられたデバイスから来ている場合には無視される。１次通信インタフェイスおよび２次通信インタフェイスは異なる形式のネットワークと交信するように適合される。例えば、１次通信インタフェイスは公衆陸上移動ネットワークのような広域無線ネットワーク上の通信に適合される。
【００１８】
２次通信インタフェイスはアドホック通信リンクおよびブルートゥース準拠の通信インタフェイスのようなピアツーピア通信リンクの少なくとも１つの上の通信に適合される。
【００１９】
１次および２次通信インタフェイスおよび処理回路を含むアクセス端末も提供される。１次通信インタフェイスは広域無線ネットワーク上の通信に適合される。２次通信インタフェイスはアドホック通信リンク上の通信に適合される。処理回路は１次通信インタフェイスおよび２次通信インタフェイスに接続され、（ａ）１次通信インタフェイスに関係づけられた無線ネットワークに関する無線ネットワーク情報を保持するように、（ｂ）無線ネットワーク情報要求を要求通信デバイスから２次通信インタフェイス上で受信するように、（ｃ）無線ネットワーク情報を２次通信インタフェイスを介して要求通信デバイスへ送るように、（ｄ）無線ネットワーク情報を得るために、無線ネットワークに関係づけられた周波数帯域を、１次通信インタフェイスを介して監視するように、および／または（ｅ）無線ネットワーク情報に対する要求を、それがその無線ネットワークとは異なるネットワーク事業者に関係づけられたデバイスから来ている場合には無視するように、構成される。１次通信インタフェイスおよび２次通信インタフェイスは異なる形式のネットワークと交信するように適合される。例えば、１次通信インタフェイスは公衆陸上移動ネットワークのような広域無線ネットワーク上の通信に適合される。２次通信インタフェイスはアドホック通信リンクおよびピアツーピア通信リンクの少なくとも１つの上の通信に適合される。例えば、２次通信インタフェイスはブルートゥース準拠の通信インタフェイスである。
【００２０】
したがって、アクセス端末は、（ａ）１次通信インタフェイスに関係づけられた無線ネットワークに関する無線ネットワーク情報を保持するための手段、（ｂ）無線ネットワーク情報要求を要求通信デバイスから２次通信インタフェイス上で受信するための手段、（ｃ）無線ネットワーク情報を２次通信インタフェイスを介して要求通信デバイスへ送るための手段、および／または（ｄ）無線ネットワーク情報を得るために、無線ネットワークに関係づけられた周波数帯域を、１次通信インタフェイスを介して監視するための手段、を含んで、提供される。１次通信インタフェイスは第１の周波数帯域内で通信するように適合され、２次通信インタフェイスは第２の周波数帯域内で通信するように適合される。ここで第１および第２の周波数帯域はオーバラップしていない。
【００２１】
無線ネットワーク通信のための回路も提供される。本回路は、（ａ）１次通信インタフェイスに関係づけられた無線ネットワークに関する無線ネットワーク情報を保持するように、（ｂ）無線ネットワーク情報要求を要求通信デバイスから２次通信インタフェイス上で受信するように、（ｃ）無線ネットワーク情報を２次通信インタフェイスを介して要求通信デバイスへ送るように、および／または、（ｄ）無線ネットワーク情報を得るために、無線ネットワークに関係づけられた周波数帯域を、１次通信インタフェイスを介して監視するように、適合される。
【００２２】
初期ネットワーク捕捉のための命令を含む計算機可読媒体も提供される。これはプロセッサによって実行されると、プロセッサに、（ａ）１次通信インタフェイスに関係づけられた無線ネットワークに関する無線ネットワーク情報を保持させ、（ｂ）無線ネットワーク情報要求を要求通信デバイスから２次通信インタフェイス上で受信させ、（ｃ）無線ネットワーク情報を２次通信インタフェイスを介して要求通信デバイスへ送らせ、および／または（ｄ）無線ネットワーク情報を得るために、無線ネットワークに関係づけられた周波数帯域を、１次通信インタフェイスを介して監視させる。
【００２３】
同じ参照記号が全般にわたり同一として識別する図面と連携して考察すると、特徴、本質、および利点は、以下に記載された詳細な説明からより明らかになる。
【図面の簡単な説明】
【００２４】
【図１】図１は、アクセス端末が支援付セル捕捉を実行する無線通信システムを示す図。
【図２】図２は、アクセス端末が、既にネットワークの一部になっている別のアクセス端末からネットワーク情報をどのように得ることできるかを例示するブロック図。
【図３】図３は、第１のデバイスから第２のデバイスへの無線ネットワーク情報の配布を容易にするための２つのデバイス間の方法を例示する図。
【図４】図４は、支援付初期ネットワーク捕捉のために構成される通信デバイスの例を示すブロック図。
【図５】図５は、本方法の一例に従って、支援付初期ネットワーク捕捉を実行するための通信デバイス上で動作する方法を例示する図。
【図６】図６は、別の通信デバイスによって初期ネットワーク捕捉を支援するように構成される通信デバイスの一例を示すブロック図。
【図７】図７は、別の通信デバイスによって初期ネットワーク捕捉を支援するための通信デバイス上で動作する方法を例示する図。
【発明の詳細な説明】
【００２５】
以下の説明において、特定の詳細は、構成の完全な理解を提供するために提示される。しかし、この構成がこれらの特定の詳細なしに実施し得ることは当業者によって理解されるだろう。例えば、回路は不要な細部で構成を曖昧にしないようにブロック図で示され得る。他の例において、周知の回路、構造および手法は構成を曖昧にしないように詳細に示され得る。
【００２６】
また、構成は、フローチャート、フローダイアグラム、構造ダイヤグラム、またはブロック図として表される処理として説明されることに注意する。フローチャートは動作を順序処理として説明するが、多くの動作は並列にまたは同時に実行されることが可能である。さらに、動作の順序は再配列され得る。１つの処理は、その動作が完了するとき、終了される。処理は方法、関数、手順、サブルーチン、サブプログラム等に対応する。処理が関数に対応する場合、その終了はその関数を呼び出した関数または主関数への戻りに対応する。
【００２７】
１つ以上の例および／または構成において、説明する機能はハードウェア、ソフトウェア、ファームウェア、またはそれらの任意の組み合わせで実施され得る。ソフトウェアで実施される場合、機能は、１つ以上の命令またはコードとして計算機可読媒体上に格納されるか、または伝送される。計算機可読媒体は、計算機記憶媒体と、計算機プログラムを１つの場所から別の場所への転送を容易にする任意の媒体を含む通信媒体との双方を含む。記憶媒体は、汎用または専用計算機からアクセス可能な任意の入手可能な媒体である。限定としてではなく、例として、そのよう計算機可読媒体は、ＲＡＭ、ＲＯＭ、ＥＥＰＲＯＭ、ＣＤ−ＲＯＭもしくは他の光ディスク記憶、磁気ディスク記憶もしくは他の磁気記憶デバイス、または所望のプログラムコード手段を命令もしくはデータ構造の形式で搬送もしくは格納するために用いられることが可能であり、かつ汎用もしくは専用計算機または汎用もしくは専用プロセッサによってアクセス可能な任意の他の媒体、を含むことが可能である。また、いかなる接続も適切に計算機可読媒体と呼ばれる。例えば、ソフトウェアがウェブサイト、サーバ、または他のリモートソースから同軸ケーブル、光ファイバーケーブル、撚り線、ディジタル加入者線（ＤＳＬ）、または赤外線、無線、およびマイクロ波のような無線技術を用いて伝送される場合、同軸ケーブル、光ファイバーケーブル、撚り線、ＤＳＬ、または赤外線、無線、およびマイクロ波のような無線技術は媒体の定義に含まれる。ディスク（ｄｉｓｋ）およびディスク（ｄｉｓｃ）はここに用いられると、コンパクトディスク（ＣＤ）、レーザーディスク（登録商標）、光ディスク、ディジタル多目的ディスク（ＤＶＤ）、フロッピー（登録商標）ディスクおよびブルーレイディスクを含む。ここでｄｉｓｋは通常、データを磁気的に再生し、ｄｉｓｃはレーザで光学的にデータを再生する。上記組み合わせも、計算機可読媒体の範囲内に含まれる。
【００２８】
さらに、記憶媒体は読み出し専用メモリー（ＲＯＭ）、ランダムアクセスメモリー（ＲＡＭ）、磁気ディスク記憶媒体、光記憶媒体、フラッシュメモリデバイス、および／または、情報を格納するための他の機械可読媒体を含む、データ格納のための１つ以上のデバイスを表す。
【００２９】
さらに、構成はハードウェア、ソフトウェア、ファームウェア、ミドルウェア、マイクロコード、またはそれらの任意の組み合わせで実施され得る。必要なタスクを実行するためのプログラムコードまたはコードセグメントは、ソフトウェア、ファームウェア、ミドルウェアまたはマイクロコードで実施される場合、記憶媒体のような機械可読媒体または他の（複数の）記憶装置に格納される。プロセッサは必要なタスクを実行する。コードセグメントはプロシージャ、関数、サブプログラム、プログラム、ルーチン、サブルーチン、モジュール、ソフトウェアパッケージ、クラス、または命令、データ構造、若しくはプログラム文の任意の組み合わせを表す。コードセグメントは、情報、データ、引数、パラメータ、またはメモリー内容を引き渡しおよび／または受けることによって、別のコードセグメントまたはハードウェア回路に接続される。情報、引数、パラメータ、データなどは、メモリー共有、メッセージ引き渡し、トークンパッシング、ネットワーク伝送などを含む任意の適切な手段を介して引き渡され、転送され、または伝送される。
【００３０】
以下の説明において、一定の用語は、一定の特徴を説明するために用いられる。用語「アクセス端末」および「通信デバイス」は、移動デバイス、携帯電話、無線端末、および／または無線ネットワーク上で通信が可能な他の形式の移動もしくは固定通信装置を指すために互換性を持って用いられる。
【００３１】
無線ネットワーク内のアクセス端末の初期ネットワーク捕捉時間を短縮するために、アクセス端末は他の隣接デバイスを利用しうる。移動または固定の隣接端末は、カバレッジエリア内の無線ネットワークに関する情報（例えば公衆陸上移動ネットワーク（ＰＬＭＮ）情報、隣接アクセスノードに関する周波数、チャネル、タイミング、スクランブルコードおよび／または位相等）を取得済みである。またそれを前記アクセス端末へ提供することが可能である。このように、アクセス端末は、長時間の走査または捕捉処理を回避可能であり、ネットワークのアクセスノード／セルをより迅速に捕捉可能である。この無線ネットワーク情報（例えばＰＬＭＮ情報、隣接アクセスノードの動作周波数、チャネル、タイミング、スクランブルコードおよび／または位相等）はブルートゥースのような近距離無線リンクを通して共有され得る。１つの仮定は、短無線リンクの捕捉は広域システムの初期捕捉よりはるかに速いことである。
【００３２】
別の特徴は支援付ネットワーク捕捉を実施する取得アクセス端末のための電力節約に提供する。別の隣接アクセス端末からネットワーク情報を得ることによって、そのような情報自体を知るために１つ以上の周波数帯域の網羅的走査を実行したときよりも取得アクセス端末の電力消費は小さくなる。隣接アクセス端末からネットワーク情報を取得するために用いられる２次通信インタフェイスが、近距離または低電力インタフェイスであるため、対象の無線ネットワークを介して、より長距離通信に用いられる１次通信インタフェイスより少ない電力消費となる。したがって、電力消費量は節約でき、取得アクセス端末の動作寿命は延長される。
【００３３】
図１にアクセス端末が支援付セル捕捉を実行し得る無線通信システムを例示する。アクセス端末１０２は自身がネットワーク領域にあることをネットワーク情報の事前知識なしに分かる。このネットワーク領域は１つ以上のセル１０４、１０６、および／または、１０８を含む。各セルは１つ以上のアクセスノード１１０、１１２、および／または、１１４を有する。アクセス端末１０２がしばらく電源切断であった後に電源投入していることがあり、またはそれがカバレッジ不足から回復、もしくは２つの異なるネットワーク（例えば２Ｇと３ＧネットワークまたはＵＭＴＳとＬＴＥ）の間を切り換えていることがある。
【００３４】
初期ネットワーク／セル捕捉の間のアクセス端末１０２の１つの目標は、ネットワーク通信のために使用可能なセル／セクターを選択することである。初期ネットワーク捕捉は、スイッチ投入もしくは電源投入時、カバレッジ不足から回復後、バックグラウンドＰＬＭＮ探索要求の受信時、長期休止期間終了時、および／または、２つの異なるネットワークの間を（例えば２Ｇから３Ｇサービスへ）切り換えた時に、通常行われる。
【００３５】
これまでは、ネットワーク捕捉はしばしば１つ以上の周波数帯域内のすべてのチャンネルを順次走査することによってなされる。アクセス端末１０２が最初にオンになると、アクセス端末は加入者識別モジュール（ＳＩＭ）カードに格納されたＰＬＭＮおよび国際移動加入者識別番号（ＩＭＳＩ）情報を読むことができる。ＩＭＳＩは加入に関係づけられた永久的なＩＤとしてサービスプロバイダによってアクセス端末（加入者）に割り当てられる。起動時に、通常、アクセス端末は格納されたＰＬＭＮ情報をＳＩＭから読み、初期ネットワーク捕捉を開始する。そのようなネットワーク捕捉は周波数走査と、それに続く捕捉走査をしばしば含む。周波数および捕捉走査アルゴリズムは実施依存であるが、アクセス端末は、最初に、ＳＩＭに格納されているＰＬＭＮ情報（例えば、通常ホームＰＬＭＮまたは最新既知のＰＬＭＮ情報）を用いてネットワーク捕捉を試みる。このＰＬＭＮ情報を用いて適切なセルまたはアクセスノードが検出されない場合、アクセス端末は、周波数走査アルゴリズムを実施することによりその走査を拡張する。走査アルゴリズムにおいては、無線コンタクト内のすべてのＰＬＭＮを識別しようとするために、その無線リソース制御のための周波数帯域が網羅的に探索される。周波数走査アルゴリズムは周波数粗走査とそれに続く周波数精走査を含む。周波数粗走査の間、可能性のあるアクセスノード（セル）の狭い周波数帯域を識別するために一定の間隔を置いてキャリア電力を検出することによって広い周波数帯域が粗に走査される。周波数精走査において、識別された可能性のあるアクセスノードの周波数帯域は、特定のチャンネルを識別するために、より細かい間隔で走査される。また、周波数走査アルゴリズムはアクセスノードまたはセルからのパイロットを識別する試みにおいてその電力検出しきい値を調整する。次に、捕捉走査が実行される。ここではアクセス端末は、無線ネットワーク上で通信に使用することが可能なアクセスノード（セル）のスクランブルコードおよび位相を取得するために周波数およびコード空間内で識別されたチャネルを探索する。平均捕捉時間は探索された周波数帯域の数、各帯域の周波数割当数、チャネル状態、およびローカルアクセスノード（セル）からのパイロット信号強度の関数である。そのような走査は数百の探索を含み得るため、これはアクセス端末に顕著な遅延および電力消費をもたらす。
【００３６】
アクセス端末１０２はそのような情報を得るために、周波数帯域を走査するよりむしろ他のローカルアクセス端末１１６および１１８と交信する。例えば、アクセス端末１０２、１１６、および１１８は通信インタフェイス（例えば、ブルートゥースなど）を含む。このインタフェイスは、それらの端末が無線ネットワーク（例えば、アクセスノード１１２、１１４、１１６）とは独立に互いに交信できるようにする。この例において、アクセス端末１０２は、ネットワーク情報を得るために１つ以上の周波数帯域を走査するに要するであろうよりも少ない時間で他のアクセス端末１１６および１１８を識別し交信することが可能である（例えば、アクセスノード、周波数、チャンネル、タイミング、スクランブルコードおよび／または位相などを識別する）。
【００３７】
最近の多くの携帯電話は複数の無線インタフェイスを含む。ネットワーク情報の事前知識のない携帯電話は、初期セル捕捉処理を加速するために、２次通信インタフェイスを利用して、そのようなネットワーク情報をそのネットワークに関する知識を備えた他の隣接携帯電話から得ることができる。例えば、周波数、時間および／またはコード情報を、最初にネットワークを取得しようとする携帯電話へ転送することが可能であろう。
【００３８】
図２は、アクセス端末が、既にネットワークの一部になっている別のアクセス端末からネットワーク情報をどのように得ることできるかを例示するブロック図である。第１のアクセス端末Ａ  １０２は加わるつもりの無線ネットワークの事前知識を備えていないことがある。しかし、第２のアクセス端末Ｂ  ２０４は、既に無線ネットワークに加入済みである（例えば、アクセスノード２０６と交信中であり得る）。さらに／または無線ネットワーク情報（例えば、識別されたアクセスノード、通信周波数、チャンネル、タイミング、スクランブルコードおよび／または位相等）を得ている。
【００３９】
アクセス端末Ａ  ２０２およびＢ  ２０４は無線１次通信インタフェイス２０８および２１０並びに２次通信インタフェイス２１２および２１４（例えば、ブルートゥース準拠）を含む。無線１次通信インタフェイス２０８および２１０は、長距離通信インタフェイスまたは広域ネットワークインタフェイス、例えば無線ネットワークと交信するのに役立つユニバーサル移動通信システム（ＵＭＴＳ）準拠のインタフェイス、ＷｉＭａｘ、または長期発展（ＬＴＥ）である。無線ネットワークは、ネットワーク制御器が１つ以上のアクセスノードを介してアクセス端末へ／からの通信を容易にする管理されたネットワークである。２次通信インタフェイス２１２および２１４は、例えばピアツーピア通信を容易にする、ブルートゥースインタフェイスのような近距離通信インタフェイスである。２次通信インタフェイス２１２および２１４は無線ネットワークに関係づけられていない。
【００４０】
起動時および無線ネットワークインタフェイス２０８を介して予期するホームネットワークを検出しないとき、第１のアクセス端末Ａ  ２０２は２次通信インタフェイス２１２を介して他のアクセス端末を走査する。代替的に、第１のアクセス端末Ａ  ２１２および第２のアクセス端末２１４は予め確立された連携を有する。またそれらの２次通信インタフェイス２１２および２１４間の予め確立された連携がある。この例において、第２のデバイスＢ  ２０４は無線通信インタフェイス２０８および２１０によって用いられる無線ネットワークに関するネットワーク情報を取得済みである。第１のアクセス端末２０２は、その２次通信インタフェイス２１２の範囲内の第２の通信デバイス２０４を検出する。次に、第１のアクセス端末２１２は、２次通信インタフェイス２１２および２１４間の近距離リンクを介して第２のアクセス端末Ｂ  ２０４からネットワーク情報を得る。そのようなネットワーク情報は、セル捕捉処理を加速するために用いられる、例えばエリアまたは領域内でアクティブなＰＬＭＮのリスト、近距離リンク基準周波数に較べたオフセット周波数（例えば、１つ以上のアクセスノード、基地局等に関係づけられた周波数を識別するオフセット周波数）、並びに（例えば、１つ以上のアクセスノード、基地局等に関係づけられた）他の時間および／またはコード情報を含む。そのようなネットワーク情報を用いて、第１の通信デバイス２０２は、例えばアクセスノード２０６を介してサービスを取得する。
【００４１】
いくつかの実施において、アクセス端末Ａ  ２０２は異なる形式のネットワーク（例えば、ＣＤＭＡ、ＧＳＭなど）上で通信可能なマルチモードデバイスである。すなわち、無線ネットワークインタフェイスは異なる形式のネットワーク上で通信可能である。代替的に、アクセス端末Ａ  ２０２は異なる形式のネットワークのための付加的ネットワークインタフェイスを含む。その結果、近距離リンクを介して第２のアクセス端末Ｂ  ２０４から得られるネットワーク情報は、特定の形式の無線ネットワーク（例えば、ＧＳＭ、ＣＤＭＡなど）に対し特有であり、特定のサービスプロバイダに関係づけられた１つ以上のネットワークに特有であり、および／または、その領域でローカルに利用可能であり第２のアクセス端末Ｂ  ２０４には既知であるすべてのネットワークに対して一般的である。
【００４２】
第２のアクセス端末Ｂ  ２０４からネットワーク情報を得る別の特徴は、第１のアクセス端末Ａ  ２０２の消費電力が、そのような情報自体を知るための１つ以上の周波数帯域の網羅的走査を実行したときよりも、より少ないということである。２次通信インタフェイス２１２が近距離または低電力インタフェイスであるため、（より長距離通信に用いられる）無線通信インタフェイス２０８より少ない電力消費となる。したがって、電力消費量は節約でき、第１の通信デバイスＡ  ２０２の動作寿命は延長される。これは第１のアクセス端末Ａ  ２０２が電池によって動作するところで特に有用である。その理由は、例えば、このことがデバイスがより長い充電間隔で動作可能であることを意味するからである。
【００４３】
図３に、第１のデバイス（すなわち、第１のアクセス端末）から第２のデバイス（すなわち、第２のアクセス端末）への無線ネットワーク情報の配布を容易にするための２つのデバイス間の方法を例示する。３０６において、第１のデバイスＡ  ３０２は未知の無線ネットワーク領域において動作を開始または再開する。第１のデバイスＡ  ３０２および第２のデバイスＢ  ３０４の双方とも、無線ネットワーク（例えば、管理された無線ネットワーク、広域ネットワーク、ＰＬＭＮネットワークなど）と交信するための第１および第２の１次通信インタフェイス（例えば、長距離インタフェイス、大電力インタフェイス、ＰＬＭＮインタフェイスなど）、並びにピアツーピアおよび／またはアドホック通信のための第１および第２の２次通信インタフェイス（例えば、近距離インタフェイス、低電力インタフェイス、ブルートゥース準拠のインタフェイスなど）を有する。
【００４４】
３０８において、第２のデバイスＢ  ３０４は先行して第２の１次通信上で無線ネットワーク上の通信を確立済みである。その結果、第２のデバイスＢ  ３０４は無線ネットワーク情報を保持する（例えば、無線ネットワークのアクセスノード、周波数、チャンネル、タイミング、スクランブルコードおよび／または位相などを特定し得る）。３０８において、第１のデバイスＡ  ３０２は第１の１次通信インタフェイス上で任意選択的にその最新既知の無線ネットワークを求める探索をする。これが不成功である場合、３１４において、第１のデバイスＡ  ３０２は第１の２次通信インタフェイス上で無線ネットワーク情報に対する要求を送るかまたは放送する。３１６において、第１のデバイスＡ  ３０２は第１の２次通信インタフェイス上で応答を走査または受信する。３１４の要求が、特定の形式の無線ネットワーク（例えば、ＧＳＭ、ＣＤＭＡなど）に対する特有の要求、特定のサービスプロバイダに関係づけられた１つ以上のネットワークに対する特有の要求、および／または、その領域においてローカルに利用できかつ第２のデバイスＢ  ３０４が既知であるすべてのネットワークに対する一般的な要求であることに注意のこと。
【００４５】
３１８において、第２のデバイスＢ  ３０４は、任意選択的に、第１のデバイスＡ  ３０２が同じ無線ネットワークに属するかを判定する。属していれば、３２０において、第２の２次通信インタフェイス上で無線ネットワーク情報を送る。次に、３２２において、第１のデバイスＡ  ３０２は無線ネットワーク情報を用いて第１の１次通信インタフェイス上で通信リンクを取得（例えば、セル、アクセスノード、基地局などを取得）する。無線ネットワーク情報が隣接の第２のデバイスＢから得られる故、第１のデバイスＡ３０２はこの情報のためのより長い走査を回避し、その無線ネットワークのためのアクセスノードとの交信を迅速に得ることが可能である。
【００４６】
図４は、支援付初期ネットワーク捕捉のために構成され得る通信デバイスの例を示すブロック図である。通信デバイス４０２（例えば、アクセス端末）は１次通信インタフェイス４０６、２次通信インタフェイス４０８、および記憶デバイス４１０に接続された処理回路４０４を含む。１次通信インタフェイス４０６は、無線通信ネットワーク４１４（例えば、広域ネットワーク、ＰＬＭＮなど）上での通信に役立つ。一方、２次通信インタフェイス４０８は、アドホック（またはピアツーピア）ネットワーク４１２（例えば、ブルートゥース準拠のネットワーク）上での通信に役立つ。１次通信インタフェイス４０６は、低電力近距離の２次通信インタフェイス４０８に較べて大電力または長距離通信インタフェイス４０６である。通信デバイス４０２は、無線通信ネットワーク４１４に関する情報を格納するための記憶デバイス４１０を使用する。
【００４７】
１次通信インタフェイス４０６および２次通信インタフェイス４０８は複数の異なる形式のネットワークと交信するように適合される。例えば、１次通信インタフェイス４０６は第１の周波数帯域内で通信するように適合され、２次通信インタフェイス４０８は第２の周波数帯域内で通信するように適合される。ここで第１および第２の周波数帯域はオーバラップしない。１次通信インタフェイス４０６は広域無線ネットワーク上または公衆陸上移動ネットワーク上の通信に適合される。２次通信インタフェイス４０８はアドホック通信リンクおよびピアツーピア通信リンクの少なくとも１つの上の通信に適合される。例えば、２次通信インタフェイス４０８はブルートゥース準拠の通信インタフェイスである。
【００４８】
初期起動またはネットワークサービスがなかった後の再起動時に、通信デバイス４０２は未知の無線通信ネットワーク４１４の領域内にある。別のシナリオにおいて、通信デバイス４０２は第１のネットワーク形式から第２のネットワーク形式へ動作を切り換えていることがある。ここで通信デバイス４０２が有する第２のネットワーク形式に関する知識は通信を取得するには不十分である。
【００４９】
通信デバイス４０２は、１次通信インタフェイス上で通信リンクを設定するための無線通信ネットワーク情報を得るために１つ以上の周波数帯域を走査するよりもむしろ、その２次通信インタフェイス４０８を利用してそのような情報を、既に無線通信ネットワーク４１４の一部である別の隣接通信デバイスから得る。
【００５０】
種々の例にしたがって、（別の隣接デバイスを伴う）２次通信インタフェイス４０８を介した通信リンクは多くの方法で確立される。例えば、通信デバイス４０２は２次通信インタフェイス４０８を介して他のデバイスによって監視されるチャネルでネットワーク情報に対する要求を（例えばこれら他のデバイスとの先行する関係を確立することなしに）放送で送る。代替的に、通信デバイス４０２は、１つ以上の隣接またはローカルデバイスを識別し、これらの他の隣接またはローカルデバイスと確立されている先行の関係を有するか有しないかにかかわらず、各デバイスに２次通信インタフェイス４０８を介してネットワーク情報に対する目的の要求を送る。例えば、２次通信インタフェイス４０８がブルートゥース準拠のインタフェイスである場合、「捕捉」プロファイルが確立される。これは他のブルートゥース準拠のデバイスによってローカル無線ネットワーク情報（例えば、ＰＬＭＮ、広域ネットワークなど）に対する要求として認識されるものである。
【００５１】
一実施において、通信デバイス４０２は異なる形式のネットワーク（例えば、ＣＤＭＡ、ＧＳＭなど）上で通信可能なマルチモードデバイスである。すなわち、１次通信インタフェイスは異なる形式のネットワーク上で通信可能である。一例において、通信デバイス４０２は異なる形式のネットワークのための付加的ネットワークインタフェイスを含む。したがって、無線ネットワーク情報に対する要求は特定の形式の無線ネットワーク（例えば、ＧＳＭ、ＣＤＭＡなど）に対するもの、特定のサービスプロバイダに関係づけられた１つ以上のネットワークに特有のもの、および／または、その領域でローカルに利用可能であるすべてのネットワークに対するものである。２次通信インタフェイス４０８上に受信されたネットワーク情報に依存して、通信デバイス４０２は受信されたネットワーク情報と互換性のあるネットワークインタフェイスを用いることができる。
【００５２】
図５に、一例に従って、支援付初期ネットワーク捕捉を実行するための通信デバイス４０２上で動作する方法を例示する。５０２において、通信デバイスは未知の無線ネットワーク領域において動作を開始／再開する。代替的に、通信デバイスは第１のネットワーク形式から第２のネットワーク形式へ（例えば、２Ｇから３Ｇネットワークへ、またはＵＭＴＳからＬＴＥへ）動作を切り換える。５０４において、任意選択的に、通信デバイスは１次通信インタフェイス上で最新既知の無線ネットワーク求める探索をする。５０６において、通信デバイスは、２次通信インタフェイス上で無線ネットワーク情報に対する要求を送るかまたは放送する。例えば、無線ネットワーク情報に対する要求は他のローカル通信デバイスへ放送される。そのような要求を受信可能ないかなる他の隣接通信デバイスも、ピアツーピア／アドホック通信リンクを介してその通信デバイスへ無線ネットワーク情報を応答する。
【００５３】
５０８において、通信デバイスは、応答を２次通信インタフェイス上で走査または（例えば、他の隣接デバイスから）受信する。５１０において、通信デバイスが２次通信インタフェイス上で無線ネットワーク情報を受信する場合、５１４において、無線ネットワーク情報を用いて通信サービスを１次通信インタフェイス上で取得（例えば、アクセスノードとの接続／リンクを取得）する。５１０において、２次通信インタフェイス上で無線ネットワーク情報を受信しない場合、５１２において、通信デバイスは、１次通信インタフェイス上で無線ネットワーク情報を走査または受信する。
【００５４】
１次通信インタフェイスおよび２次通信インタフェイスは異なる形式のネットワークと交信するように適合される。例えば、１次通信インタフェイスは第１の周波数帯域内で通信するように適合され、２次通信インタフェイスは第２の周波数帯域内で通信するように適合される。ここで第１および第２の周波数帯域はオーバラップしていない。１次通信インタフェイスはアクセスノードを介して広域無線ネットワーク上の通信、および／または公衆陸上移動ネットワーク上の通信に適合される。２次通信インタフェイスはアドホック通信リンクおよびピアツーピア通信リンクの少なくとも１つの上の通信に適合される。例えば、２次通信インタフェイスはブルートゥース準拠の通信インタフェイスである。
【００５５】
支援付ネットワーク捕捉の実施の結果、通信デバイス４０２の消費電力は、そのようなネットワーク情報自体を知るために１つ以上の周波数帯域の網羅的走査を実行したときよりもより少なくなる。２次通信インタフェイスが、近距離または低電力インタフェイスであるため、（より長距離通信に用いられる）１次通信インタフェイスより少ない電力消費となる。したがって、電力消費量を節約でき、通信デバイス４０２の動作寿命は延長され得る。
【００５６】
さらに別の構成に従って、通信デバイスまたはアクセス端末の回路は無線ネットワーク情報に対する要求を２次通信インタフェイス（例えばブルートゥース準拠のインタフェイス、ピアツーピアインタフェイス、近距離インタフェイス、低電力インタフェイスなど）上で送るように適合される。同じ回路、異なる回路、または同じもしくは異なる回路の第２の区間は、無線ネットワーク情報を２次通信インタフェイス上で受信するように適合される。さらに、同じ回路、異なる回路、または同じもしくは異なる回路の第３の区間は、無線ネットワーク情報を用いて通信サービスを無線ネットワークから１次通信インタフェイス（例えば、広域ネットワークインタフェイス、ＰＬＭＮインタフェイス、大電力インタフェイス、長距離インタフェイスなど）上で取得するように適合される。同様に、同じ回路、異なる回路、または第４の区間は、そのような無線ネットワーク情報が２次通信インタフェイス上で受信されない場合、無線ネットワーク情報を得るために１次通信インタフェイス上で１つ以上の周波数帯域を走査するように適合される。当業者は、一般に、この開示で説明した大部分の処理は同様に実施され得ることを認識するだろう。いかなる（複数の）回路または回路区間も単独で、または１つ以上のプロセッサを有する集積回路の部分として組み合わせで実施されうる。１つ以上の回路は、集積回路、アドバンスＲＩＳＣマシン（ＡＲＭ）プロセッサ、ディジタル信号プロセッサ（ＤＳＰ）、汎用プロセッサなどで実施されうる。
【００５７】
図６は、別の通信デバイスによって初期ネットワーク捕捉を支援するように構成される通信デバイスの一例を示すブロック図である。通信デバイス６０２は１次通信インタフェイス６０６，２次通信インタフェイス６０８，および記憶デバイス６１０に接続された処理回路６０４を含む。１次通信インタフェイス６０６は、無線通信ネットワーク６１４（例えば、広域ネットワーク、ＰＬＭＮなど）上での通信に役立つ。一方、２次通信インタフェイス６０８は、アドホック（またはピアツーピア）ネットワーク６１２（例えば、ブルートゥース準拠のネットワーク）上での通信に役立つ。１次通信インタフェイス６０６は、低電力近距離の２次通信インタフェイス６０８に較べて大電力または長距離通信インタフェイス６０６である。通信デバイス６０２は、無線通信ネットワーク６１４に関する情報を格納するために記憶デバイス６１０を使用する。
【００５８】
通信デバイス６０２は無線通信ネットワークで動作すると仮定され、および／または無線通信ネットワークについての情報を得ていると仮定される。そのような無線ネットワーク情報は、例えばエリアまたは領域内でアクティブなＰＬＭＮのリスト、近距離リンク基準周波数に較べたオフセット周波数（例えば、１つ以上のアクセスノード、基地局等に関係づけられた周波数を識別するオフセット周波数）、並びに（例えば、１つ以上のアクセスノード、基地局等に関係づけられた）他の時間および／またはコード情報を含む。通信デバイス６０２は２次通信インタフェイス６０８を介して他の隣接デバイスから無線ネットワーク情報に対する要求を受信する。そのような要求が受信される場合、通信デバイス６０２は記憶デバイス６１０に格納された無線ネットワーク情報を２次通信インタフェイス６０８を介して提供する。それにより、要求通信デバイスがネットワーク通信リンクをより迅速に取得することを支援する。
【００５９】
図７に、別の通信デバイスによって初期ネットワーク捕捉を支援するための通信デバイス上で動作する方法を例示する。７０２において、通信デバイスは１次通信インタフェイスを介して無線ネットワーク上で通信を確立済みである。その結果、７０４において、通信デバイスは無線ネットワークに関する無線ネットワーク情報を保持する。通信デバイスは２次通信インタフェイス上の無線ネットワーク情報要求を受信する。７０８で、要求が受信されない場合、通信デバイスは受信を待ち続ける。それとは異なり、そのような要求が受信された場合、７１０において、通信デバイスは、要求通信デバイスが無線通信ネットワークと同じ事業者に属するかどうかを任意選択的に判定する。要求通信デバイスが無線通信ネットワークとは異なる事業者に属する場合、７１４において要求を無視する。そうでなければ、７１２において、通信デバイスは２次通信インタフェイスを介して無線ネットワーク情報を要求通信デバイスへ送る。
【００６０】
さらに別の構成に従って、アクセス端末内の回路は、１次通信インタフェイス（例えば、広域ネットワークインタフェイス、ＰＬＭＮインタフェイス、大電力インタフェイス、長距離インタフェイスなど）に関係づけられた無線ネットワークに関する無線ネットワーク情報を保持するように適合される。同じ回路、異なる回路、または同じもしくは異なる回路の第２の区間は、無線ネットワーク情報要求を２次通信インタフェイス（例えばブルートゥース準拠のインタフェイス、ピアツーピアインタフェイス、近距離インタフェイス、低電力インタフェイスなど）上で受信するように適合される。さらに、同じ回路、異なる回路、または同じもしくは異なる回路の第３の区間は、無線ネットワーク情報を２次通信インタフェイスを介して要求通信デバイスへ送るように適合される。同様に、同じ回路、異なる回路、または第４の区間は、無線ネットワーク情報を得るために１次通信インタフェイスを介して、無線ネットワークに関係づけられた周波数帯域を監視するように適合される。同様に、同じ回路、異なる回路、または第５の区間は、無線ネットワーク情報に対する要求を、それがその無線ネットワークではなく異なるネットワーク事業者に関係づけられたデバイスから来ている場合には無視するように適合される。当業者は、一般に、この開示で説明した大部分の処理は同様に実施され得ることを認識するだろう。いかなる（複数の）回路または回路区間も単独で、または１つ以上のプロセッサを有する集積回路の部分として組み合わせで実施され得る。１つ以上の回路は、集積回路、アドバンスＲＩＳＣマシン（ＡＲＭ）プロセッサ、ディジタル信号プロセッサ（ＤＳＰ）、汎用プロセッサなどで実施され得る。
【００６１】
ここに説明した支援付ネットワーク捕捉方法およびシステムは、ユニバーサル移動通信システム（ＵＭＴＳ）、超広帯域通信システム、長期発展（ＬＴＥ）、およびＷｉＭａｘネットワーク、ならびに初期ネットワーク捕捉が面倒、時間がかかる、さもなければ未知のネットワーク領域おいて動作するデバイスには問題が多い他の無線ネットワークの捕捉のために実施され得る。
【００６２】
図１、２、３、４、５、６、および／または、７に例示した１つ以上の部品、ステップ、および／または機能は再配列され、および／または単一の部品、ステップ、もしくは機能に組合せられ、またはいくつかの部品、ステップ、もしくは機能に具体化される。付加的要素、部品、ステップ、および／または機能も加えられ得る。図１、２、４、および／または、６に例示した装置、デバイス、および／または部品は、図３、５、および／または、７で説明した１つ以上の方法、特徴、またはステップを実行するように構成または適合され得る。ここで説明したアルゴリズムはソフトウェアおよび／または組込ハードウェアで効率的に実施され得る。
【００６３】
当業者は、ここに開示された構成に関連して説明された種々の例示的論理ブロック、モジュール、回路およびアルゴリズムのステップは、電子的ハードウェア、計算機ソフトウェア、または双方の組み合わせとして実施され得ることをさらに認識するだろう。ハードウェアとソフトウェアのこの互換性を明確に例示するために、種々の例示的部品、ブロック、モジュール、回路、およびステップを、ここまで、それらの機能の面から一般的に説明してきた。そのような機能がハードウェアまたはソフトウェアとして実施されるかどうかは、特定の用途、および全体のシステムに課せられた設計制約に依存する。
【００６４】
ここに説明した種々の特徴は異なるシステムにおいて実施可能である。例えば、２次マイクロホンカバー検出器は、単一回路もしくはモジュールで、または別々の回路もしくはモジュールで実施され、１つ以上のプロセッサによって実行され、機械可読もしくは計算機可読媒体に組み込まれた計算機可読命令によって実行され、ならびに／または、ハンドヘルドデバイス、モバイルコンピュータおよび／もしくは携帯電話内に具体化され得る。
【００６５】
上記の構成が単に例であり、特許請求範囲を限定するものと解釈されるべきでないことに注意すべきである。これらの構成の説明は、例示的であり特許請求範囲を限定しないことが意図される。したがって、本教示は容易に他の形式の装置に適用可能である。また多くの代替、変更および変形は当業者には明白であろう。
【図１】
2011514778.tif 000003
【図２】
2011514778.tif 000004
【図３】
2011514778.tif 000005
【図４】
2011514778.tif 000006
【図５】
2011514778.tif 000007
【図６】
2011514778.tif 000008
【図７】
2011514778.tif 000009
【国際調査報告】
2011514778.tif 000010
2011514778.tif 000011
2011514778.tif 000012
2011514778.tif 000013